(57)【要約】【課題】原稿押えカバーの開放時には原稿供給トレイが回動しないように確実に保持しつつ、排出された原稿を取り出す際の原稿供給トレイの開閉操作が容易となるような構成を提案することを目的とする。【解決手段】装置本体に回動自在に設けられた原稿押えカバー５の上面に取り付けられ、原稿を連続して搬送可能に構成された原稿搬送装置７において、前記原稿押えカバー５の一端側に設けられた原稿搬送部８と、該原稿搬送部８に接続され該原稿押えカバー５に対して回動自在に設けられた原稿供給トレイ９と、該原稿供給トレイ９の下方位置に形成された原稿排出トレイ１０と、前記原稿供給トレイ９及び原稿押えカバー５を係合して原稿供給トレイ９が回動しないように規制する保持機構２０とを設け、この保持機構２０として、前記原稿供給トレイ９又は原稿押えカバー５のいずれか一方に磁性体からなる支持体２１を設け、他方に磁石２２をそれぞれ設けた。【選択図】図４
2005347940.tif 000002
【特許請求の範囲】
【請求項１】
装置本体に回動自在に設けられた原稿押えカバーの上面に取り付けられ、原稿を連続して搬送可能に構成された原稿搬送装置において、
前記原稿押えカバーの一端側に設けられた原稿搬送部と、該原稿搬送部に接続され該原稿押えカバーに対して回動自在に設けられた原稿供給トレイと、該原稿供給トレイの下方位置に形成された原稿排出トレイと、前記原稿供給トレイ及び原稿押えカバーを係合して原稿供給トレイが回動しないように規制する保持機構とを設けた、
ことを特徴とする原稿搬送装置。
【請求項２】
前記保持機構は、前記原稿供給トレイ又は原稿押えカバーのいずれか一方に磁性体からなる支持体を設け、他方に磁石をそれぞれ設けた、
ことを特徴とする請求項１に記載の原稿搬送装置。
【請求項３】
前記保持機構は、前記原稿供給トレイ及び原稿押えカバーのいずれか一方に磁性体からなる支持体を設け、他方にコイルをそれぞれ設けてなり、
該原稿押えカバーの開放時に、該コイルに電流が流れて支持体を吸引する、
ことを特徴とする請求項１に記載の原稿搬送装置。
【請求項４】
前記保持機構は、前記原稿供給トレイの開閉検出手段を兼ねる、
ことを特徴とする請求項２又は請求項３に記載の原稿搬送装置。
【請求項５】
前記保持機構は、前記原稿供給トレイに対して一定方向方向に回動自在に設けられた係合体と、該係合体が回動して係合する受け部と、を設けてなり、
該原稿押えカバーの閉鎖時は、該係合体が受け部と係合することはなく、原稿供給トレイは回動自在であるとともに、原稿押えカバーの開放時は、係合体が自重によって回動し該受け部と係合して原稿供給トレイの回動を規制する、
ことを特徴とする請求項１に記載の原稿搬送装置。
【発明の詳細な説明】
【技術分野】
【０００１】
本発明は、原稿搬送装置に関し、より詳細には、回動自在に設けられた原稿供給トレイの回動を規制するための技術に関する。
【背景技術】
【０００２】
一般に、ファクシミリ装置、複写機及びこれらを含めた複数の機能を有する複合機は、電子写真複写機等の画像形成装置の上部に画像読取装置を設けておき、画像読取装置により読み取った原稿の画像情報に基づいてこれを記録紙に出力するような手段が用いられる。この画像読取装置としては、プラテン上にセットした原稿の読み取りを行うフラットベッドスキャナと、原稿搬送装置とを組み合わせて設けているものが多く用いられている。
【０００３】
フラットヘッドスキャナを用いる場合には、装置本体に回動自在に設けられた原稿押えカバーを開放して、プラテン上に一枚ずつ原稿をセットして、原稿読取装置によって画像情報が読み取られる。一方、原稿搬送装置を用いる場合には、原稿供給トレイにセットした多数枚の原稿を、１枚ずつ分離しながら、搬送ローラ等によって原稿読取部に搬送して原稿の画像を読み取り、読み取りを終了した原稿が原稿排出トレイに順次排出される。そして、原稿排出トレイには、画像情報が読み取られた原稿が堆積していくため、通常は、原稿供給トレイを回動自在に設けて、これを開放することで、堆積した原稿を容易に取り出せるようにしている。
【０００４】
このように、複合機等においては、原稿押えトレイを装置本体に対して回動自在に設けるとともに、原稿供給トレイを原稿押えカバーに対して回動自在に設けたものが多く提案されている。
ところが、この原稿供給トレイがあまりにも自在に回動可能であると、原稿押えカバーが大きく開放されると、原稿供給トレイもその度に同じく開放されてしまい、かかる作業の妨げとなるだけでなく、ひいては原稿供給トレイ等が損傷してしまう。そこで、原稿供給トレイを原稿押えカバーに対してその回動を規制するような保持機構を備えた原稿搬送装置等が、すでに幾つか提案されているところである。かかる保持機構に関しては、原稿供給トレイ及び原稿押えカバーのそれぞれに係止部を突出させて、原稿供給トレイを閉じた状態で、この係止部をそれぞれ係止させるように構成したものが一般的である。
【０００５】
例えば、特許文献１において開示される原稿搬送装置においては、原稿供給トレイ又は原稿押えカバーのいずれか一方に一体的に形成された突起部と、他方に設けられた孔とをそれぞれ嵌合させることで、原稿供給トレイを原稿押えカバーに対して回動自在かつ着脱自在に設けたものであり、その際、突起部の先端を押圧する弾性部材が他方側に設けられる。そして、原稿搬送装置は、この弾性部材による押圧力を調整することによって、原稿供給トレイの回動の硬さ具合等を調整することができるとともに、原稿押えカバーの開放時に、原稿供給トレイが不意に回動してしまうといった問題をも解消するようにしたものである（特許文献１参照）。
【特許文献１】特開平１０−３１０２６３号公報
【発明の開示】
【発明が解決しようとする課題】
【０００６】
しかしながら、上記従来の保持機構は、原稿供給トレイ又は原稿押えカバーに形成される係合部を垂直面に対して略垂直に突出し、これを上下方向から相互に係合させるような機構であった。そして、原稿押えカバーを開口しても原稿供給トレイが開口しないように保持する必要があるため、原稿供給トレイ及び原稿押えカバーの係合部は、そのような係合状態が解けにくいように構成されていた。そのため、複合機の操作に慣れていないオペレータであれば、その係合を容易に解くことができず、原稿供給トレイを開放する作業が煩わしかった。
【０００７】
また、前記特許文献１に開示される原稿搬送装置においては、前記孔に挿通された前記突起部の先端を弾性部材によって押圧して原稿供給トレイの回動を規制するものであるが、原稿供給トレイは長手方向に一定の長さを有するとともに、原稿止め部等が配設されるためある程度の質量を有する。そのため、原稿供給トレイの一側端部に設けた突起部を押圧して、原稿供給トレイの回動自体を規制するには、弾性係数の大きな弾性部材を設ける必要があり、かかる弾性部材による付勢力に抗して原稿供給トレイを開放操作する必要があり煩わしかった。
【０００８】
そこで、本発明においては、原稿搬送装置に関し、前記従来の課題を解決するもので、原稿押えカバーの開放時には原稿供給トレイが回動しないように確実に保持しつつ、排出された原稿を取り出す際の原稿供給トレイの開閉操作が容易となるような構成を提案することを目的とする。
【課題を解決するための手段】
【０００９】
本発明の解決しようとする課題は以上の如くであり、次にこの課題を解決するための手段を説明する。
【００１０】
すなわち、請求項１においては、装置本体に回動自在に設けられた原稿押えカバーの上面に取り付けられ、原稿を連続して搬送可能に構成された原稿搬送装置において、前記原稿押えカバーの一端側に設けられた原稿搬送部と、該原稿搬送部に接続され該原稿押えカバーに対して回動自在に設けられた原稿供給トレイと、該原稿供給トレイの下方位置に形成された原稿排出トレイと、前記原稿供給トレイ及び原稿押えカバーを係合して原稿供給トレイが回動しないように規制する保持機構とを設けたものである。
【００１１】
請求項２においては、請求項１において、前記保持機構は、前記原稿供給トレイ又は原稿押えカバーのいずれか一方に磁性体からなる支持体を設け、他方に磁石をそれぞれ設けたものである。
【００１２】
請求項３においては、請求項１において、前記保持機構は、前記原稿供給トレイ及び原稿押えカバーのいずれか一方に磁性体からなる支持体を設け、他方にコイルをそれぞれ設けてなり、該原稿押えカバーの開放時に、該コイルに電流が流れて支持体を吸引するものである。
【００１３】
請求項４においては、請求項１又は請求項２において、前記保持機構は、前記原稿供給トレイの開閉検出手段を兼ねるものである。
【００１４】
請求項５においては、請求項１において、前記保持機構は、前記原稿供給トレイに対して一定方向方向に回動自在に設けられた係合体と、該係合体が回動して係合する受け部と、を設けてなり、該原稿押えカバーの閉鎖時は、該係合体が受け部と係合することはなく、原稿供給トレイは回動自在であるとともに、原稿押えカバーの開放時は、係合体が自重によって回動し該受け部と係合して原稿供給トレイの回動を規制するものである。
【発明の効果】
【００１５】
本発明の効果として、以下に示すような効果を奏する。
【００１６】
請求項１に示す構成としたので、原稿押えカバーの開放時には、原稿供給トレイが回動しないように確実に保持して原稿供給トレイが損傷するのを防ぐことができ、また、原稿押えカバーの閉鎖時には、原稿供給トレイの回動操作がスムーズになって原稿を取り出す際の開閉操作が容易となる。
【００１７】
請求項２に示す構成としたので、磁石の吸引力によって原稿供給トレイを原稿押えカバーに容易に係合させることができるとともに、原稿供給トレイを持ち上げるだけで、かかる係合を解消でき、原稿排出トレイに堆積された原稿を取り出す作業が容易となる。
【００１８】
請求項３に示す構成としたので、コイルが電磁石となって支持体を吸引するため、原稿供給トレイ及び原稿押えカバーをより確実に係合することができ、かかる原稿供給トレイの損傷等を効果的に防止することができる。
【００１９】
請求項４に示す構成としたので、原稿供給トレイ及び原稿押えカバーの係合状態が外部から視認でき、原稿供給トレイを開放したままで原稿押えカバーを不用意に開放してしまうことを防止することができる
【００２０】
請求項５に示す構成としたので、係合体が受け部と係合することによって、原稿供給トレイ及び原稿押えカバーをより確実に係合することができるとともに、原稿押えカバーの開放時に自動的に係合されるため、通常の原稿供給トレイの回動操作は、係合体等によって妨げられることなくスムーズに行うことができる。
【発明を実施するための最良の形態】
【００２１】
次に、発明の実施の形態を説明する。
図１は本発明に係る原稿搬送装置を備えた複合機の全体的な構成を示した斜視図、図２は図１の原稿押えカバーを開放した状態を示した斜視図、図３は図１の原稿押えカバー及び原稿搬送装置の上方斜視図、図４は第一実施例に係る原稿搬送装置の原稿供給トレイを開放した状態を示した斜視図、図５は図４の原稿押えカバー及び原稿供給トレイの正面図、図６は第二実施例に係る原稿搬送装置の機能ブロック図、図７は開閉検出機構の機能ブロック図、図８は第三実施例に係る原稿搬送装置の原稿供給トレイを開放した状態を示した斜視図、図９は図８の保持機構の側断面図、図１０は図９の保持機構において係合体による係合の様子を示した状態図である。
なお、以下に、本発明に係る原稿搬送装置７を備えた複合機１として、ファクシミリ機能と複写機のコピー機能を備えた複合機１について述べるが、本実施例はこれに限定されるものではなく、原稿搬送装置７は、単なるファクシミリ装置やコピー機等に適用することが可能である。
【００２２】
まず、本発明に係る原稿搬送装置７を設けた複合機１について説明する。
図１及び図２に示すように、複合機１は、画像読取装置２と、画像読取装置２の下方に位置する画像記録装置３と、画像読取装置２の上方に配置される原稿搬送装置７等とから構成されている。また、画像読取装置２の一側には複合機１の操作パネル６が付設される。以下、操作パネル６の配設側を複合機１において前方とする。
【００２３】
画像読取装置２は、画像読取部４と、該画像読取部４に対して前後方向に回動自在の原稿押えカバー５等とから構成されている。読画像読取部４の上面には、画像読取装置２において原稿載置面となるプラテン１１が配置される。画像読取部４内部であって、プラテン１１の下方には、光源やミラーを備え左右に移動可能とされる走査体（図略）や、該走査体からの画像光を受光する撮像素子等が配置されている。原稿押えカバー５は、プラテン１１上に原稿を押圧するための原稿押圧板である。この原稿押えカバー５は、装置本体にヒンジ部１４・１４によって複合機１の前後方向に回動自在に設けられている。原稿押えカバー５は、静止原稿を読み取るフラットベットタイプのイメージスキャナとして用いる場合には、プラテン１１の上方を開放するように回動操作し、次いでプラテン１１上に原稿を載置し、この原稿をプラテン１１に押し付けるように再び原稿押えカバー５を閉鎖する。このように原稿押えカバー５を閉鎖して、プラテン１１上に載置された原稿を上方から押えた状態で、原稿の静止画情報が読み取られる。
【００２４】
原稿搬送装置７は、原稿押えカバー５の一端側に構成されて図示せぬ搬送ローラ等によって原稿を搬送する原稿搬送部８と、原稿搬送部８内部に原稿を供給する原稿給紙トレイ９と、原稿搬送部８の内部から排出される原稿を堆積する原稿排出トレイ１０等とから構成されている。この原稿搬送装置７によって、原稿供給トレイ９に載置した原稿が、一枚ずつピックアップされて画像読取装置２上面の一端部へ搬送され、この原稿の内容を前記走査体（このときは画像読取装置２内部で静止されている）にて読み取られた後に、原稿排出トレイ１０に排出される。この原稿搬送装置７についての詳細は、後述する。
【００２５】
このように、画像読取装置２は、走査体が走査して静止原稿を読み取るフラットベットタイプのイメージスキャナとして用いるとともに、走査体を位置固定して原稿搬送装置７によって原稿を給送しながら読み取りを行うシートフィードタイプのスキャナとして用いることができるように構成されている。
【００２６】
画像記録装置３は、画像記録部１２と、画像記録部１２の下方に配置する給紙カセット１３・１３を備えている。画像記録部１２は、電子写真方式のプリンタで構成され、画像読取部４で出力された原稿画像や、ファックス等による受信画像を、記録紙上に記録（印刷）可能に構成されている。画像記録部１２の正面側の上面には、画像記録装置３の排出トレイ１２ａが形成されている。
【００２７】
以上のように構成した複合機１において、一例として、原稿搬送装置７の原稿供給トレイ９に載置した原稿をファックス送信する場合について説明する。
すなわち、原稿供給トレイ９に載置された原稿は、給紙口で一枚ずつ分離されて原稿搬送部８内へと取り込まれ、装置本体側の画像読取装置２において、原稿の画像情報が読み取られた後に排紙口から排出されて、原稿排出トレイ１０上に積載される。そして、この読み取られた画像情報が、画像記録装置３にて一旦記録された後、電気信号に変換されて、電話回線を通じて相手先に送信される。なお、相手側ファックス装置からの信号を画像情報に変換し、装置内部に貯溜された記録用紙に画像を形成して出力することも可能である。
【００２８】
次に、本実施例に係る原稿搬送装置７について、以下に詳述する。
図３乃至図５に示すように、原稿搬送装置７は、前記原稿押えカバー５の上部に形成されており、原稿搬送部８と、原稿供給トレイ９及び原稿排出トレイ１０等とから構成されている。原稿供給トレイ９は、平面視略矩形状に形成された平板状部材であり、縁部には垂直上方に突出した原稿止め部１５・１５が形成されている。この原稿止め部１５・１５のいずれか一方もしくは両方が原稿の搬送方向（図３における左右方向）に対して直交する方向に摺動自在に構成され、この原稿止め部１５・１５を摺動操作して、原稿供給トレイ９の上面に載置した原稿の位置決めがなされる。また、原稿供給トレイ９の一部が透明部材（もしくは半透明部材）９ａから構成されており、原稿供給トレイ９の下方に配設される原稿排出トレイ１０に堆積した原稿を上方から視認できるようにしている。
【００２９】
原稿供給トレイ９の一端部には、原稿押えカバー５に構成された原稿搬送部８に取り付ける際の取付部としてのリブ部１６・１６が突設されている（図５参照）。このリブ部１６・１６から突出部１６ａ・１６ａがそれぞれ反対方向に略垂直に突出され、この突出部１６ａ・１６ａが、原稿搬送部８の開口部８ａの両側壁に設けられた孔１７・１７に嵌入されている。このようにして、原稿供給トレイ９は、突出部１６ａ・１６ａを回動中心として、原稿の搬送方向と同一方向に回動自在とされている。
【００３０】
また、原稿供給トレイ９の下面であって装置本体後方の一側部に、正面視略矩形に形成された当接部材１８が直下方に突設されている。この当接部材１８が、原稿押えカバー５の上面に形成された当接縁部１９と当接して、原稿供給トレイ９の水平位置が位置決めされる。この当接部材１８は、原稿供給トレイ９の下面からの突出長さが、前記突出部１６ａ・１６ａに近い側から徐々に大きくなるように形成されている。このように形成することで、原稿供給トレイ９が、先端部から原稿搬送部８の開口部８ａの方向（図３において左方向）にかけてなだらかに傾斜するようにして、原稿供給トレイ９に載置された原稿が原稿搬送部８へと容易に搬送されるようにしている。当接縁部１９は、原稿押えカバー５の上面に、原稿排出トレイ１０の一側側であって原稿の搬送の妨げとならない位置に形成されている。
【００３１】
原稿排出トレイ１０は、原稿供給トレイ９と略平行となるように構成され、本実施例においては原稿押えカバー５の上面に一体的に形成されている。そして、原稿供給トレイ９の上面に載置された原稿は、装置本体の前後方向に対して垂直方向（図３において左方向）に搬送される。原稿搬送部８から排出される原稿は、原稿供給トレイ９から原稿搬送部８に移送される搬送方向とは逆方向に排出されて、原稿排出トレイ１０上面に堆積される。
【００３２】
以上のように、本実施例における複合機１は、原稿搬送装置７の原稿供給トレイ９が原稿押えカバー５に対して回動自在に構成されるとともに、この原稿押えカバー５自体が装置本体に対して回動自在に構成されている。そのため、原稿をプラテン１１上にセットするために原稿押えカバー５を上方に回動操作して開放させると、原稿供給トレイ９も回動してしまう。そこで、本実施例に係る原稿搬送装置７には、原稿供給トレイ９の回動を規制するための保持機構２０が構成されている。以下に、かかる保持機構２０の構成について詳述する。
【００３３】
まず、第一実施例に係る保持機構２０について、以下に説明する。
図４及び図５に示すように、第一実施例に係る保持機構２０は、原稿供給トレイ９に磁性体からなる支持体２１を設けるとともに、原稿押えカバー５に磁石２２をそれぞれ設け、磁石２２が支持体２１を吸引することによって、原稿供給トレイ９及び原稿押えカバー５を係合するように構成される。
【００３４】
支持体２１は、鉄や板金等の磁性体からなる部材で形成され、原稿供給トレイ９に設けられた当接部材１８に配設される。この支持体２１は、正面視略Ｌ字状に形成され、接続部２１ａが当接部材１８の前側壁に付設され、この接続部２１ａの下端から前方に向けて略垂直に当接部２１ｂが突出している。磁石２２は、原稿押えカバー５に設けられた当接縁部１９に配設され、支持体２１（当接部２１ｂ）を吸引する部材が用いられる。磁石２２は、原稿供給トレイ９の閉鎖時であって当接部材１８が当接縁部１９に当接した状態（図３等参照）において、当接部材１８に配設された支持体２１（当接部２１ｂ）の略下方に位置するように配設される。なお、この磁石２２は、当接縁部１９の上面から表出するように配設してもよく、また当接縁部１９に内設してもよい。
【００３５】
本実施例に係る保持機構２０は、当接部材１８に設けられた支持体２１が当接縁部１９に設けられた磁石２２に吸引されて、原稿供給トレイ９及び原稿押えカバー５が係合される。換言すると、保持機構２０によって、原稿供給トレイ９が開放しないようにその回動が規制されている。すなわち、原稿供給トレイ９の閉鎖時には支持体２１が磁石２２に吸引されており、原稿押えカバー５が上方もしくは後方に回動されても、原稿供給トレイ９が回動しないように保持される。一方で、磁石２２が支持体２１を吸引する以上の力を原稿供給トレイ９に加えることによって、原稿供給トレイ９を回動させて容易に開放することができる。
【００３６】
以上のように保持機構２０によって、原稿供給トレイ９が回動しないように保持することで、原稿押えカバー５の開放時に原稿供給トレイ９が回動するのを容易に防いで、原稿供給トレイ９が損傷するのを防ぐことができる。また、原稿供給トレイ９の回動操作に際に、保持機２０に妨げられることがないため、かかる作業がスムーズになる。
特に、保持機構２０を磁性体よりなる支持体２１及び磁石２２より構成するため、磁石２２の吸引力によって原稿供給トレイ９を原稿押えカバー５に容易に係合させることができるとともに、オペレータが原稿供給トレイ９を持ち上げるだけで、かかる係合を容易に解消することができ、原稿排出トレイ１０に堆積された原稿を取り出す作業が容易となる。
【００３７】
なお、上述のように支持体２１を原稿供給トレイ９（当接部材１８）に、磁石２２を原稿押えカバー５（当接縁部１９）に設けるだけでなく、支持体２１を原稿押えカバー５に、磁石２２を原稿供給トレイ９にそれぞれ設けるようにしてもよい。
また、原稿押えカバー５に設ける磁石２２（支持体２１）は、必ずしも当接縁部１９に設ける必要はなく、例えば、原稿押えカバー５の後側壁５ａに設けるようにしてもよい。
【００３８】
次に、第二実施例に係る保持機構２０について、以下に説明する。
図４乃至図６に示すように、第二実施例に係る保持機構２０は、原稿供給トレイ９に磁性体からなる支持体２１を設けるとともに、原稿押えカバー５には通電されることで電磁石となるコイル２３をそれぞれ設け、コイル２３に電流が流れて支持体２１を吸引することによって、原稿供給トレイ９及び原稿押えカバー５を係合するように構成される。
【００３９】
支持体２１は、鉄や板金等の磁性体からなる部材で形成されており、上述した第一実施例と同様に、原稿供給トレイ９に設けられた当接部材１８に設けられている。そして、コイル２３は、電流が流れると電磁石となって支持体２１との間で磁気ループを形成し、電磁力によって支持体２１を吸引するように構成されている。また、コイル２３は、コイルの巻数を適切に設定して、後述するように原稿押えカバー５が開放されても、支持体２１との吸引状態を維持するように構成される。
【００４０】
コイル２３は、コイル２３へ供給する電流の切替装置２６を介して、各種演算処理や制御を実行するＣＰＵ等からなる制御部２４と接続される。また、この制御部２４は、原稿押えカバー５の開閉スイッチ２５（図２参照）と接続されている。この開閉スイッチ２５は、通常は原稿押えカバー５の開閉状態を検出するセンサとして用いられる。開閉スイッチ２５としては、例えば、ＯＮ／ＯＦＦスイッチや各種センサ等を用いることができる。制御部２４に開閉スイッチ２５によって検出された情報が送られると、かかる情報に基づいて、切替装置２６が切り替えられてコイル２３へ流れる電流が入り切りされる。
【００４１】
具体的には、原稿押えカバー５の閉鎖時には、開閉スイッチ２５によって検知された情報から、制御部２４によって切替装置２６が切り替えられることで電流供給経路２７が断たれて、すなわちコイル２３への電流の供給が切断されて電磁石がオフとなる。そのため、コイル２３からは電磁力が生起されずに支持体２１を吸引することができず、原稿供給トレイ９が回動自在となる。一方、原稿押えカバー５の開放時には、同じく開閉スイッチ２５にて検知された情報から、制御部２４によって切替装置２６が切り替えられることで電流供給経路２７が接続されてコイル２３へ電流が供給される。そのため、コイル２３が電磁石となって電磁力によって支持体２１を吸引し、原稿供給トレイ９及び原稿押えカバー５が係合されて、原稿供給トレイ９の回動が規制される。
【００４２】
以上のように、本実施例に係る保持機構２０では、原稿押えカバー５の開閉状態を開閉スイッチ２５により連動して検知するようにして、原稿押えカバー５の開閉に応じてコイル２３への電流供給を自動的に切り替えて、原稿押えカバー５及び原稿供給トレイ９の係合状態を容易に切り替えるように構成されている。特に、原稿押えカバー５の開放時にコイル２３に電流が流れてコイル２３が電磁石となって支持体２１を吸引するため、原稿供給トレイ９をより確実に係合することができ、かかる原稿供給トレイ９の損傷等を効果的に防止することができる。一方で、原稿押えカバーの閉鎖時には、自動的に原稿供給トレイ９と原稿押えカバー５との係合が解消されるため、原稿供給トレイ９が回動自在となって排出された原稿を容易に取り出すことができる。
【００４３】
なお、本実施例においても、上述した第一実施例と同様に、支持体２１とコイル２３との配置はこれに限定するものではない。
【００４４】
また、上述した第一実施例及び第二実施例における保持機構２０は、原稿供給トレイ９の開閉検出手段として、原稿供給トレイ９の開閉状態を検出する開閉検出機構３０を兼ねるように構成してもよい。すなわち、上述したように原稿搬送装置７は、保持機構２０を構成する磁石２２やコイル２３が支持体２１を吸引することによって、原稿押えカバー５と原稿供給トレイ９とを係合させて、原稿供給トレイ９の回動を規制するように構成したものであるが、さらに開閉検出機構３０において、原稿供給トレイ９の係合状態を外部から視認できるように構成される。
【００４５】
一例として、図１、図２及び図７に示すように、第一実施例に示した保持機構２０として支持体２１及び磁石２２からなる原稿搬送装置７において、この保持機構２０に加えて開閉検出機構３０として、原稿供給トレイ９の開閉状態に応じて表示が切り替えられる表示部６ａを操作パネル６に設けている。この開閉検出機構３０においては、前記制御部２４に、表示部６ａ、支持体２１及び磁石２２が接続される（図７参照）。支持体２１が磁石２２に吸引された状態すなわち原稿供給トレイ９の閉鎖時は、支持体２１及び磁石２２を介して制御部２４からの電流供給回路が形成されるため、制御部２４によって、表示部６ａにおいて原稿供給トレイが「閉」であることを示すランプが点灯される。一方、原稿供給トレイ９の開放時は、かかる電流供給回路が切断されるため、表示部６ａにおいて原稿供給トレイ９が「開」であることを示すランプが点灯する。
なお、表示部６ａの構造の詳細はこれに限定するものではなく、単一のランプが原稿供給トレイ９の開放時には点灯し原稿供給トレイ９の閉鎖時には消灯するようにしたり、液晶表示で表したり等してもよい。
【００４６】
このように、保持機構２０が原稿供給トレイ９の開閉検出機構３０をも兼ねることによって、原稿供給トレイ９及び原稿押えカバー５の係合状態を容易に確認できる。そして、原稿供給トレイ９が係合状態にあるか否かで表示部６ａにおける表示が異なるように構成することで、オペレータがその状態を視認できる。そのため、例えば、原稿供給トレイ９を開放したままで原稿押えカバー５を不用意に開放するのを防止して、原稿供給トレイ９の損傷を防ぐことができる。また、開閉検出機構３０を、別所に設ける場合と比べて部品点数の低減と装置本体のコンパクト化を図ることができる。
【００４７】
次に、第三実施例に係る保持機構２０について、以下に説明する。
図８乃至図１０に示すように、第二実施例に係る保持機構２０は、前記原稿供給トレイ９に原稿押えカバー５の回動方向と同一方向に回動自在に懸架された係合体となる係合フック３５と、原稿押えカバー５に該係合フック３５が回動して係合する受け部３６等とから構成されている。
【００４８】
原稿供給トレイ９の当接部材１８に孔３７が貫設され、この孔３７の前方を覆うように枠３８が付設される。枠３８の左右方向に係合フック３５の回動軸３９が横設され、この回動軸３９を回動中心として係合フック３５が回動自在に嵌合される。係合フック３５は、一端を上方に屈曲して鉤状のフック部３５ａが形成される。また、この係合フック３５は、当接部材１８に対して略垂直方向であって、原稿供給トレイ９の回動方向と同一の方向に回動可能に構成される。ただし、係合フック３５は、前方への回動下場合には枠３８に当接させることでかかる回動方向を規制するように構成され、後方すなわち孔３７から突出する方向にのみ回動可能とされる。
なお、枠３８は、係合フック３の前方を完全に覆うように構成する必要はなく、あくまで係合フック３５の前方への回動を規制するように構成すればよい。例えば、回動軸３９と略平行に配設したバー等によって係合フック３５の回動方向を規制するように構成してもよい。
【００４９】
一方、保持機構２０を構成する受け部３６は、原稿押えカバー５の後側壁５ａに設けられ、本実施例においては後側壁５ａを開口した開口部４０の縁部に形成される。この開口部４０は、当接部材１８に設けられた孔３７と前後方向において略同軸線上に位置するように設けられる。係合フック３５が回動すると、開口部４０を介して係合フック３５のフック部３５ａが下方から受け部３６に係合する。なお、この受け部３６には、本実施例のように後側壁５ａの一部を受け部３６とするだけでなく、後側壁５ａに別部材を配設してもよい。
【００５０】
図１０（ａ）に示すように、原稿押えカバー５が閉鎖された状態において、原稿供給トレイ９を回動して閉鎖する場合には、係合フック３５は、枠３８に当接しながらもフック部３５ａの先端部等が原稿押えカバー５の後側壁５ａに接触しないように構成されている。図１０（ｂ）に示すように、原稿供給トレイ９の当接部材１８が原稿押えカバーの上面に形成された当接縁部１９に当接して、原稿供給トレイ９の位置決めがなされた状態では、当接部材１８の孔３７と後側壁の開口部４０とが連続するように形成される。このように、原稿押えカバー５が閉鎖された状態においては、係合フック３５が受け部３６と係合することはなく、すなわち原稿供給トレイ９が回動自在となるように構成される。
【００５１】
そして、図１０（ｂ）の状態から、原稿押えカバー５を後方に回動して開放すると、図１０（ｃ）に示すように、原稿押えカバー５が回動されるにつれて、この原稿押えカバー５と同一方向に回動可能に構成された係合フック３５も自重によって回動し、やがて、係合フック３５のフック部３５ａが受け部３６と係合する。そして、フック部３５ａが受け部３６と係合すると、原稿供給トレイ９を回動させようとしてもこれ以上上方に回動させることができない。
【００５２】
このように、係合フック３５と受け部３６とからなる保持機構２０を設けて、原稿押えカバー５の閉鎖時は、係合フック３５が受け部３６と係合することはなく原稿供給トレイ９を回動自在とするとともに、原稿押えカバー５の開放時は、係合フック３５が自重によって回動し、受け部３６と係合して原稿供給トレイ９の回動が規制するように構成することで、原稿供給トレイ９を開閉させる際の回動操作をスムーズに行える。そして、原稿押えカバー５を開放する際には、保持機構２０によって原稿供給トレイ９と原稿押えカバー５とが自動的に係合されるため、原稿供給トレイ９が不意に開放してしまって損傷するのを防ぐことができる。特に、本実施例においては、保持機構２０を構成する係合フック３５等は大量生産が可能であって製造コストを押えることができる。
【００５３】
なお、保持機構２０の別実施例として、前記係合フック３５を原稿押えカバー５の後側壁５ａに配設し、前記受け部３６を原稿供給トレイ９の当接部材１８に形成してもよい。すなわち、かかる場合には、係合フック３５は、上下方向の略中央部に回動軸３９により回動自在に軸支され、フック部３５ａが上方に位置するようにフック部３５ａに他端部に錘等が設け、さらに当接部材１８の方向に開口するように構成される。このように構成することで、係合フック３５は原稿押えトレイ５が回動されると、自重によって回動して受け部３６に係合することができる。
さらに、上述した保持機構２０は、係合体としてフック状の部材を設けるだけでなく、受け部３６に対して係合可能な突起状や凸状の部材を設けてもよい。
【図面の簡単な説明】
【００５４】
【図１】本発明に係る原稿搬送装置を備えた複合機の全体的な構成を示した斜視図。
【図２】図１の原稿押えカバーを開放した状態を示した斜視図。
【図３】図１の原稿押えカバー及び原稿搬送装置の上方斜視図。
【図４】第一実施例に係る原稿搬送装置の原稿供給トレイを開放した状態を示した斜視図。
【図５】図４の原稿押えカバー及び原稿供給トレイの正面図。
【図６】第二実施例に係る原稿搬送装置の機能ブロック図。
【図７】開閉検出機構の機能ブロック図。
【図８】第三実施例に係る原稿搬送装置の原稿供給トレイを開放した状態を示した斜視図。
【図９】図８の保持機構の側断面図。
【図１０】図９の保持機構において係合体による係合の様子を示した状態図。
【符号の説明】
【００５５】
１    複合機
５    原稿押えカバー
５ａ    後側壁
７    原稿搬送装置
８    原稿搬送部
８ａ    開口部
９    原稿供給トレイ
１０    原稿排出トレイ
１８    当接部材
１９    当接縁部
２０    保持機構
２１    支持体
２１ａ    接続部
２１ｂ    当接部
２２    磁石
２３    コイル
【図１】
2005347940.tif 000003
【図２】
2005347940.tif 000004
【図３】
2005347940.tif 000005
【図４】
2005347940.tif 000006
【図５】
2005347940.tif 000007
【図６】
2005347940.tif 000008
【図７】
2005347940.tif 000009
【図８】
2005347940.tif 000010
【図９】
2005347940.tif 000011
【図１０】
2005347940.tif 000012